(57)【要約】【課題】従来よりも消費エネルギーが非常に低く、かつオゾン層を破壊するガスを放出しない空調システムを提供する。【解決手段】本発明は空調システムに関するものであり、その空調システムは、取水口３６と、４．５μｍを超える大きさの粒子状物質を捕集する粒子状物質除去フィルター２０、１．２μｍを超える大きさのコロイド物質を捕集する対コロイドフィルター２２及び０．１μｍを超える大きさの微生物を捕集する限外ろ過フィルター２４を有するプロセスモジュール１０と、そのプロセルモジュール１０で処理された水を受け取る少なくとも１台の空調装置１４、１６、１８とを備えている。それら空調装置１４、１６、１８は、電磁弁３８と、高圧ポンプ４０と、少なくとも１台のレール状のミスト発生器４２と、高圧ポンプ４０が運転中に制御キャビネット４６が電磁弁を開放したときにミストを部屋内に散布するファン４４とを備えている。ポンプ４０とファン４４は、あらかじめ定められた遅延の間隔をおいた運転期間で運転される。【選択図】図２
2009511856.tif 000002
【特許請求の範囲】
【請求項１】
少なくとも１つの部屋又は閉鎖された乗員区画の空調を行う空調システムであって、
取水口（１２）と、
４．５μｍを超える大きさの粒子状物質を捕集する粒子状物質除去フィルター（２０）、１．２μｍを超える大きさのコロイド物質を捕集する対コロイドフィルター（２２）、０．１μｍを超える大きさの微生物を捕集する限外ろ過フィルター（２４）及び０．１μｍ未満の大きさの微生物を破壊するＵＶＣランプ（２６）を有し、前記取水口（１２）からの水を受け取るプロセスモジュール（１０）と、
前記プロセスモジュール（１０）で処理された水を受け取る少なくとも１台の空調装置（１４、１６、１８）と、
を備え、
前記空調装置（１４、１６、１８）は、
電磁弁（３８）と、
高圧ポンプ（４０）と、該高圧ポンプ（４０）の運転中に部屋内にミストを噴霧するための少なくとも１台のレール状のミスト発生器（４２）と、
ファン（４４）と、
前記電磁弁（３８）の開放、高圧ポンプ（４０）及びファン（４４）の起動を、あらかじめ定められた遅延の間隔をおいた運転期間で行う制御キャビネット（４６）と、
を備えることを特徴とする空調システム。
【請求項２】
前記運転期間が１〜３秒であって、前記遅延の間隔が２０秒である請求項１に記載の空調システム。
【請求項３】
前記制御キャビネット（４６）を遠隔操作する遠隔制御手段（４８）を備えた請求項１又は２に記載の空調システム。
【請求項４】
前記遠隔制御手段（４８）が、前記運転期間を１秒、２秒又は３秒のうちから１つを選択するキーを有する請求項３に記載の空調システム。
【請求項５】
ユーザが部屋内を希望の温度に調節できるように、前記制御キャビネット（４６）にワイヤ又は赤外線を介して接続されたサーモスタット（５０）を備え、前記サーモスタット（５０）は、部屋内の温度が前記希望の温度と等しいか又は低くなったときに前記制御キャビネット（４６）に停止信号を送信する請求項１〜３のいずれかに記載の空調システム。
【請求項６】
ユーザが部屋内を希望の湿度に調節できるように、前記制御キャビネット（４６）にワイヤ又は赤外線を介して接続された湿度センサー（５２）を備え、前記湿度センサー（５２）は、部屋内の湿度が前記希望の湿度と等しいか又は高くなったときに前記制御キャビネット（４６）に停止信号を送信する請求項５に記載の空調システム。
【請求項７】
前記粒子状物質除去フィルター（２０）、対コロイドフィルター（２２）及び限外ろ過フィルター（２４）が、圧力計（２８、３０、３２）をそれぞれ備える請求項１〜６のいずれかに記載の空調システム。
【請求項８】
前記高圧ポンプ（４０）から過剰な圧力水が排出されるのを防ぐため、調節弁（４１）を有するバイパスダクト（３９）により、高圧ポンプ（４０）の入口と出口とを接続した請求項１〜７のいずれかに記載の空調システム。
【請求項９】
少なくとも１台の火災発生センサー（５４）を備え、前記火災発生センサー（５４）は、は、煙を検知したとき、又は部屋内の温度が設定値を超えたときに、前記制御キャビネット（４６）に信号を送信する請求項１〜８のいずれかに記載の空調システム。
【請求項１０】
空調を目的として起動される限られた数の前記レール状のミスト発生器（４２）を、火災発生が検知された場合に全て起動させるようにした請求項９に記載の空調システム。
【発明の詳細な説明】
【技術分野】
【０００１】
本発明は、居間やオフィス内で使用される空調装置に関し、更に詳しくは消費エネルギーが非常に低い空調装置に関する。
【背景技術】
【０００２】
現在、市場において入手可能な空調システムは、冷却ガスの圧縮サイクルにより行われる冷却方法に基づいている。冷房装置（空調装置とも呼ばれる。）を良好に運転するのに必要な熱量は、空調対象となる部屋から供給され、それに伴って温度が低下する。今日、我々が空調技術として知るものは、大変高いエネルギーを消費する。専門家の計算によれば、フランスのたった３０％の世帯が空調システムを自宅に取り付けたとしたら、その需要をまかなうため、新たに１０基の原子力発電所を建設しなければならなくなる。
【０００３】
更に、空調に用いられている冷却ガスは、オゾン層に被害を与えることがよく知られている。全ての空調装置は、最新のものも含めて、内蔵するガスをある程度放出するため、地球を紫外線から保護しているオゾン層の破壊に手を貸している。
【発明の開示】
【発明が解決しようとする課題】
【０００４】
本発明の目的は、従来よりも消費エネルギーが非常に低い空調システムを提供することにある。また、本発明のもう１つの目的は、オゾン層を破壊するガスを放出しない空調システムを提供することにある。
【課題を解決するための手段】
【０００５】
上記の目的を達成する本発明の空調システムは、少なくとも１つの部屋又は閉鎖された乗員区画の空調を行う空調システムであって、取水口１２と、４．５μｍを超える大きさの粒子状物質を捕集する粒子状物質除去フィルター２０、１．２μｍを超える大きさのコロイド物質を捕集する対コロイドフィルター２２、０．１μｍを超える大きさの微生物を捕集する限外ろ過フィルター２４及び０．１μｍ未満の大きさの微生物を破壊するＵＶＣランプ２６を有し、前記取水口１２からの水を受け取るプロセスモジュール１０と、前記プロセスモジュール１０で処理された水を受け取る少なくとも１台の空調装置１４、１６、１８と、を備え、前記空調装置１４、１６、１８は、電磁弁３８と、高圧ポンプ４０と、該高圧ポンプ４０の運転中に部屋内にミストを噴霧するための少なくとも１台のレール状のミスト発生器４２と、ファン４４と、前記電磁弁３８の開放、高圧ポンプ４０及びファン４４の起動を、あらかじめ定められた遅延の間隔をおいた運転期間で行う制御キャビネット４６と、を備えることを特徴とするものである。
【発明の効果】
【０００６】
本発明の空調システムによれば、上記のような構成を有するので、空調システムの消費エネルギーを従来よりも低くすることができる。また、冷却ガスを用いることがないため、オゾン層を破壊するガスを放出することはない。
【発明を実施するための最良の形態】
【０００７】
以下に、本発明の実施の形態について、図面を参照して説明する。
【０００８】
図１は、本発明の実施形態からなる空調システムを示す。
【０００９】
この空調システムは、取水口１２からの水を受け取って処理するプロセスモジュール１０と、家屋内やオフィス又はその他の部屋の空調を行う１〜２０台の空調装置１４、１６、１８とを備えている。
【００１０】
プロセスモジュール１０は、約４．５μｍを超える大きさの粒子状物質を捕集する粒子状物質除去フィルター２０と、約１．２μｍを超える大きさのコロイド物質を捕集する対コロイドフィルター２２と、０．１μｍを超える大きさの微生物を捕集する限外ろ過フィルター２４と、０．１μｍ未満の大きさの微生物を破壊するＵＶＣランプ２６とを有している。これらのフィルター２０、２２、２４は、フィルターの詰まりを監視するため、圧力計２８、３０、３２をそれぞれ備えている。
【００１１】
図２に示す空調装置は、プロセスモジュール１０の取水口３６の下流側に設置された電磁弁３８、高圧ポンプ４０、少なくとも１台のレール状のミスト発生器４２、及びそのミスト発生器４２に隣接するファン４４を有している。ポンプ４０の運転中は、取水口１２（図１を参照）からの水はプロセスモジュール１０によってろ過され、電磁弁３８とポンプ４０を通過して、最終的にレール状のミスト発生器４２においてミスト化される。ミスト発生器４２のノズルから噴射された水滴は、ファン４４により部屋内に散布される。
【００１２】
高圧ポンプ４０は取水口３６からの水を全て処理するものではない。なぜならば、高圧ポンプ４０から過剰な圧力水が排出されるのを防ぐためである。そのため、調節弁４１を有するバイパスダクト３９が、高圧ポンプ４０の入口と出口を接続するために用いられる。
【００１３】
空調装置の制御キャビネット４６が、電磁弁３８、高圧ポンプ４０及びファン４４と電気的に接続されている。運転時においては、この制御キャビネット４６が、電磁弁３８の開放、及び高圧ポンプ４０とファン４４の起動を制御する。
【００１４】
また、制御キャビネット４６は、あらかじめ定められた遅延の間隔をおいた運転期間（例えば２０秒間の遅延時間の後に２秒間運転を継続するなど）でそれらを起動させるように、ミスト化の遅延化を自動制御する。
【００１５】
この制御キャビネット４６は、赤外線による遠隔制御手段で操作されることが望ましい。この遠隔制御手段は、運転時間の間隔と遅延化の間隔との比を変えるための温度調節キーを備えていることが望ましい。このことは、例えば以下のような最小、中間、最大の３つのモードを選択することで可能となる。中間モードは、ユーザがＯＮキーを押した時に自動的に選択される。
最小：１秒間運転して、２０秒間遅延する。
中間：２秒間運転して、２０秒間遅延する。
最大：３秒間運転して、２０秒間遅延する。
【００１６】
また、この遠隔制御手段は、ファン４４の回転速度を２段階で切り換えるようなキーを備えることもできる。
【００１７】
空調装置を使用する部屋内には、サーモスタット５０と湿度センサー５２と備えることが望ましい。サーモスタット５０及び／又は湿度センサー５２は、制御キャビネット４６に統合するか、制御キャビネット４６とワイヤを介して接続するか、又は赤外線にリンクさせる。サーモスタット５０は、ユーザによって希望の温度（例えば２０℃）に手動で設定され、その希望の温度と室温が等しくなったか又は低くなった場合には、制御キャビネットを停止させる。
【００１８】
同様に、湿度センサー５２も、部屋内をあらかじめ定められた湿度にするために、ユーザにより調整される。その定められた湿度よりも部屋の湿度が高くなったか又は等しくなった場合には、制御キャビネット４６に停止信号が送信される。
【００１９】
上述した空調システムは、４０ｍ２の広さにおける温度を、６℃〜１２℃下げることができる。エネルギーの節約効果も十分である。なぜならば、従来の空調装置は２５ｍ２の広さの部屋の空調には１ｋＷの電力が必要であるが、本発明のシステムによれば、わずか０．０７ｋＷの電力しか必要としない。すなわち、エネルギー消費は９３％低下する。
【００２０】
図３は、本発明の別の実施形態であり、空調システムを部屋内で起きる火災の消火装置として用いるものである。このシステムは、部屋内の適当な場所に設置された少なくとも１台の火災発生センサー５４を備えている。火災発生センサー５４は、制御キャビネット４６に接続され、煙を検知したときや、部屋内の温度が設定値（例えば４５℃）を超えたときに信号を送信する。その信号により、制御キャビネット４６は火災発生検知モードに切り替わる。制御キャビネット４６は、警報信号を警報器５６に送信し、通風を止めるためにファン４４を起動しない状態でのレール状のミスト発生器４２の継続運転を制御する。
【００２１】
このとき、次の２つのケースが発生し得る。空調システムが起動している場合には、ファン４４が停止されている間はポンプ４０は遅延化することなく運転される。また、空調システムが運転していない場合には、制御キャビネット４６は電磁弁４６を開放し、遅延化の有無にかかわらずポンプ４０を起動し、警報信号を警報器５６に送信する。空調システムが備える限られた数（例えば１台）のレール状のミスト発生器４２は空調を目的とするが、火災発生が検知された場合には、全てのミスト発生器４２が起動される。
【００２２】
本発明の空調システムは、自動車や飛行機のような乗り物の乗員区画においても用いることができる。このようなケースでは、プロセスモジュール１０を省略して、取水口３６への水の供給源は乗り物に備え付けられた水タンクとすることができる。
【図面の簡単な説明】
【００２３】
【図１】本発明の実施形態からなる空調システムの概略系統図である。
【図２】図１に示す空調システムを用いた空調装置の概略構成図である。
【図３】図２に示す空調装置の他の例であって、火災発生の検知にも用いられる空調装置の概略構成図である。
【符号の説明】
【００２４】
１０  プロセスモジュール
１２  取水口
１４、１６、１８  空調装置
２０  粒子状物質除去フィルター
２２  対コロイド物質フィルター
２４  限外ろ過フィルター
２６  ＵＶＣランプ
２８、３０、３２  圧力計
３６  取水口
３８  電磁弁
３９  バイパスダクト
４０  ポンプ
４１  調節弁
４２  レール状のミスト発生器
４４  ファン
４６  制御キャビネット
４８  遠隔制御手段
５０  サーモスタット
５２  湿度センサー
【図１】
2009511856.tif 000003
【図２】
2009511856.tif 000004
【図３】
2009511856.tif 000005
【国際調査報告】
2009511856.tif 000006
2009511856.tif 000007
2009511856.tif 000008
2009511856.tif 000009
2009511856.tif 000010
2009511856.tif 000011